(57)【特許請求の範囲】
【請求項１】
調理場のシンク内で使用される生ゴミ収納器本体おいて、前記生ゴミ収納器本体上部縁に調理中に使用される調理具の容易な仮置きができる複数の凸凹形状を施し、予めその複数の凸形状の位置に合わせた、生ゴミ収納器本体上部縁に固定を行なうための切れ込みをいれた覆部面、あるいはコンパクトに圧縮が可能な生ゴミ収納器本体上部縁に固定を行なうために切れ込みをいれた覆部面を、生ゴミ収納器本体上部の複数の凸形状に合わせ込み固定する手段による、生ゴミ収納器内に溜まった生ゴミを隠す覆部面の容易な固定を行なうための複数の凸形状であるとともに、その複数の凸部の最上部部分を食材の入ったザルの水切りを行なうための支点として使用する特徴を有する複数の凸形状であり、前記複数の凹形状では、その凹形状の窪み、及び前記複数の凸形状と複数の凹形状落差及び凸凹形状を利用して、サエバシやオタマ等の肢のついた調理具等の調理具ホルダーとして使用し、生ゴミ収納器本体の上部縁に調理中に使用される調理具の容易な仮置きや、食材の入ったザルの水切りを可能とした特徴を有する生ゴミ収納器。
【請求項２】
前記生ゴミ収納器本体上部縁に施された複数凸凹形状を使った調理具の仮置き時において、
生ゴミ収納器本体が設置されるシンク内の傾斜角度に対して安定度を高める目的と、ザルの水切りなど食材の入った重い調理具の仮置き時の安定度高めるために、その生ゴミ収納器本体底部に安定板を備えた特徴を有する請求項１に記載の生ゴミ収納器。
【発明の詳細な説明】
【技術分野】
【０００１】
本発明は、各家庭における調理場で使用される生ゴミ収納器と水切りゴミ袋に接合した生ゴミを隠す覆部面との構成方法に関するものである。
【背景技術】
【０００２】
特開平９−２６０２
（５／７出願時空白だったため、オンライン方式での段落番号は１〜２ほどズレております。） 
【先行技術文献】
【特許文献】
【０００３】
特開２００５-２１３０２３ 特開２００１-１３９１０４ 特開平１０-０３５８０３ 実開昭５８-１８７５０３ 特開平９-２６０２ いずれも参考との結果であった。
特開平９-２６０２号公開公報の水切りゴミ袋に覆部面を備え着ける成形方法に関するいくつかの従来技術の中で、公開公報記載の図面によると生ゴミを入れる前の使用前の景観においての延長されている覆部面が外からまる見えで、使い勝手の悪いイメージに対する問題点の解決に着手せれていないようだった。
【発明の概要】
【発明が解決しようとする課題】
【０００４】
本発明の目的は、調理場で使用されている水切りゴミ袋と水切りゴミ収納器の組み合わせにおける利便性と清潔なイメージを向上させる製品を提供することにあり、覆部面を成形した水切りゴミ袋と生ゴミ収納器本体の組み合わせにおける構成方法の変更に伴う形状を使い、今までに例のない生ゴミ収納器の利用方法を実現させるものである。
【課題を解決するための手段】
【０００５】
上記の課題を解決するための手段として、生ゴミを隠す覆部面をジグザグに織り込んでコンパクトに圧縮し生ゴミ収納器本体に備えた上部開口部を設けた窓部内側に格納し、その窓部の構造によって覆部面の取り出し、固定、折り返し支点、覆部面を成形した水切りゴミ袋の着脱、これらのすべてを容易にこなす
簡単な構造を利用し、更にこの構造においての材料軽減に伴う凹凸を覆部面の固定部及び調理具ホルダー部として併用利用し覆部面に遮断された生ゴミの上を汚れた調理具の仮置きの場所に使用する。
【発明の効果】
【０００６】
覆部面を成形した水切りゴミ袋の使用がシンプルに容易行える事であり、シンク内の限られたスペースを有効利用できる事である。
【図面の簡単な説明】
【０００７】
【図１】水切りゴミ袋と覆部を接合した正面図
【図２】覆部をジグザグに圧縮し水切りゴミ袋に接合された側面図
【図３】ジグザグに圧縮した覆部を水切りゴミ収納器本体内部に格納した正面図の投影図
【図４】図３の側面の投影図
【図５】図３の真上からの図
【図６】図３においての圧縮覆部を引き出すイメージ図
【図７】材料軽減に伴う省かれた隙間を利用した調理具ホルダー部となるベース形状の説明図
【図８】覆部面を成形した水切りゴミ袋に利便性向上に配慮した切れ込みの位置の説明図
【図９】圧縮した覆部面を後付けユニット格納部（上部挿入型）に収めた実施形態の説明図。
【図１０】圧縮した覆部面を後付けユニット格納部（下部挿入型）に収めた実施形態の説明図
【図１１】図１０のＣ部に上部開口部を設けた窓部を複合したユニット格納部を取り付けた生ゴミ収納器総体図
【図１２】上部開口部を設けた窓部より覆部面を広げた斜図
【図１３】調理具ホルダー部の暫定イメージ図
【発明を実施するための形態】
【実施例１】
【０００８】
以下本発明についての説明に入る。
本発明は調理場で使用される水切りゴミ袋と生ゴミ収納器において、収納器に溜まった生ゴミを隠し調理場の清潔感の向上を容易に図るための考案であるが、従来生ゴミ収納器の中に溜まった生ゴミを隠す手段に水切りゴミ袋を用いているものは以外に少なく限定されていた様だった。その中で先行技術調査による参考とされる背景技術として確認のできた図面からの判断になるが、シンク内に設置する初期段階の覆部面の景観イメージがあまりよくなかった事から製造関係者らの目にとまらなかった要因と分析できるものである。
【０００９】
そこで、なんとか設置時の景観を良くすれば需要を伸ばせる可能性があると考えたことから覆部面を圧縮してコンパクト化し収納器本体に格納し、その覆部面と水切りゴミ袋との特殊形状をした接合部と生ゴミ収納器本体に備えた窓部との形状関係を利用し覆部面の使用時の固定部、折り返し支点部として、また覆部面を成形した水切りゴミ袋の着脱を簡単に行う事を可能とした、上部開口部を設けた窓部を生ゴミ収納器本体に取り入れる事を考案したものである。
【００１０】
（窓部とは、覆部面を形成した水切りゴミ袋を生ゴミ収納器の本体上部に簡単接合固定するために、生ゴミ収納器本体に施す簡単な構造形状であり、その窓部上部に開けた開口部によって袋の着脱も容易にできるものである。）
【００１１】
以下、本発明の実施の形態を図面を用いて説明する。
請求項２の記載に関連した図１、図２において、図１の（Ａ１）は、生ゴミ収納器に溜まった生ゴミを隠す覆部面であり、（Ｂ１）の水切りゴミ袋と（Ｂ２）の接合部で接合された覆部面を成形した水切りゴミ袋の総体イメージ正面図である。
【００１２】
図１の（Ａ４）は覆部面縦折をする説明線であり、複数の横じまの線はジグザグに折り返し圧縮される説明線。 
図２は、（Ａ１）の圧縮時の図１の側面図である。
図２（Ａ３）は覆部面をジグザグに織り込み圧縮させたイメージ説明図である。
【００１３】
図３は覆部面を成形した水切りゴミ袋の使用時における覆部面の折り返し、固定、生ゴミ収納器本体との着脱を容易に行うための上部開口部（Ｄ２）を設けた窓部（Ｄ１）を備え生ゴミ収納器本体とその窓部の内側に格納されている圧縮された覆部面（Ａ３）の正面斜めからの投影図であり、この図３の側面図が図４であり、図３を真上から見たのが図５となっている。
【００１４】
本発明の目的は、調理場のシンク内で使用される水切りゴミ袋と生ごみ収納器の組み合わせにおける収納形態の美化を容易に行う事にある。従来技術の中で水切りゴミ袋に覆部面を成形した方法において設置初期段階の景観イメージの問題点を解消する考案である。
【００１５】
次に、請求項１、請求項４、請求項８記載事項における、本発明の主旨となる圧縮された覆部面を成形した水切りゴミ袋と生ゴミ収納器本体との固定、覆部面の折り返し、覆部面を形成した水切りゴミ袋の着脱の方法と形状の説明に入る。
【００１６】
生ゴミ収納器本体に備えた上部開口部を設けた窓部（図３-Ｄ１）の横幅寸法と覆部面を接合した水切りゴミ袋総体図の狭くなっている接合形状部（図１-Ｂ２参照）の横幅寸法とをおおよそ同寸にそろえ、生ゴミ収納器内格納部に入れた圧縮覆部面を成形した水切りゴミ袋の覆部面をその窓部より外側に引いて広げる。
その狭い接合部より上下に広くなる面部を使い固定位置とし、同時に接合部（図１-Ｂ２）の上になる面部を生ごみ収納器本体の上部開口部を設けた窓部の開口部に横に向かい合っている上部突起部（図３-２Ｄ参照）の外側にかけて覆部面の使用時の折り返し支点とする。 更に窓部上部に設けた開口部は圧縮した覆部面と水切りゴミ袋の接合部を指でつまむだけで固定と折り返し支点を解除し生ゴミ収納器本体と覆部面を形成した水切り袋の着脱を簡単に行える形状関係となっている。又上部開口部を設けた窓部において、覆部面を成形した水切りゴミ袋の接合部と接触する部分にはザラザラやギザギザなど適度な抵抗がかかる表面処理を施しておくと使いやすくなる。
上記の上部開口部を設けた窓部の使用は今回覆部面を圧縮したものを使用しているが、圧縮の有無、また格納部の有無に関わらず使用できるものである。
【００１７】
請求項３の記載事項における説明として、図４の側面図の（Ｄ３、Ｄ４）は、ジグザグにコンパクトに圧縮された覆部面を生ゴミ収納器本体内側上部固定する目的での格納部あり、上部開口部を設けた窓部の幅より圧縮された覆部面の幅の大きさの違いで窓部より飛び出ないように支え、（Ｄ３とＤ４）のガイド部の空間に圧縮された覆部面の持つ弾力性を利用し簡単にはさみ込む方法を使用する。（Ｄ３）は、シンク内においての汚れを防止するためにガイドライン下方向に長めとし途中から上方向に向け、また（Ｄ４）は取り付け位置から上方向に向かせ途中から下方向に屈折させて圧縮された覆部面を入れ易い間口とした形状である。（Ｄ３部はＤ２部の上部開口部形状に準ずる。）
【００１８】
図５は上記記載部の真上からの図であり、覆部を引き出すための（Ａ２）が取り付けられている。図４、図５における格納部のガイドが図面上ではかなり横長に描かれているが、実際には図面の半分〜１/３に短くなる部分である。 
【００１９】
図６は覆部をかける作業の初期段階のイメージで、生ゴミが溜まったら（Ａ２）
をつまみ、格納部より扇子をひろげるかのように生ゴミを覆い被せ収納器本体後部の角に取り付けた（Ｃ２）と接合固定させるものである。
【００２０】
本発明は、覆部面をジグザグに折込みコンパクトに圧縮し水切りゴミ袋に接合して、生ゴミ収納器本体に格納することで、背景技術参考図面の未着手点だった覆部面が外に丸出し状態に比べ、洗い物を終えたさいに次の設置準備をシンク内にして措いても不快なイメージを解消できるものであり、生ゴミ収納器本体と水切りゴミ袋との着脱や覆部面の使用時の扱い等においても利便性に配慮された考案である。 
【００２１】
次に請求項の６に関する図７は、上部開口部を設けた窓部を生ごみ収納器本体の枠より上部外側に張り出し生ゴミの収納量に対しての収納器本体の材料を軽減するとともに、覆部面を敷いた生ゴミの上を汚れた調理具の置き場に使う形状の説明一例図であり、上部外側に出した窓部の張り出し形状（図７-Ｅ）と、窪み（図７-Ｇ）の落差を調理具ホルダー部とし、覆部面の固定部（図７-Ｆ）の間にも窪み（図７-Ｇ）を必要に応じて複合して生ごみ収納器の上を調理具の仮置きの場所に利用するものである。
【００２２】
図７においての補足になるが、請求項１の上部開口部を設けた窓部（図７-Ｄ１、Ｄ２）の開いている底辺の位置が従来型の生ゴミ収納器本体の高さに置き換えた位置ともいえる事から同じ大きさの生ゴミ収納器だと許容容量が少なくなるため、同じ許容容量を確保するには単純に生ゴミ収納器本体の高さを上げる対応策をとれば好い事である。
【００２３】
しかし今回この問題において、生ゴミ収納器本体を構成する材料の軽減にもつながる策として上部開口部を設けた窓部（図７-Ｄ１、Ｄ２）の部分付近だけを生ゴミ収納器本体の上部枠より上に張り出し（図７-Ｅ部参照）従来型の生ゴミ収納器同様のサイズで生ゴミの許容容量を確保した場合、（図７-Ｅ部）以外にも同じような形状の張り出しを覆部面の固定目的とし（図７-Ｆ）を収納器上部の縁に必要な箇所を限定し凹凸設ける。その上部開口部を設けた窓部と覆部面の固定部の張り出した部分の間に材料軽減に一部伴う削除可能な複数の不必要部分の窪み（図７-Ｇ）で落差を増大し、その谷間を暫定的ではあるが調理具ホルダー部に利用する。この考案での凹凸は覆部面と生ゴミ収納器の着脱や固定を容易にし、更に調理具ホルダー等の併用利用を可能とする構成であり、ただの凹凸ではない。 
【００２４】
また、この図７はこのままの形状で製品化するものではなく材料軽減においての暫定的構成の説明図であり、製品化する場合においては、多数ある調理具から、何と何をおもに使用するかによって細部の加工形状が変化するものである。
【００２５】
（図７‐Ｅ部）と（図７-Ｇ部）と（図７-Ｆ部）の凹凸は、おたま、さえばし、
包丁など枝のついた調理具の置く場所で、従来シンク内に置くと枝の部分が水に濡れ不快感についても解消できるものである。また、（図-７Ｅ部）の最上部と（図７-Ｆ部）の最上部の面部を支点にザルの水切り場に使ったり鍋の蓋など
底の平たい物等が置けるもので、図７をベースに調理具の形状に合わせ工夫を加えることでとても便利な空間を提供する生ゴミ収納器となるものである。
【００２６】
また、シンク内は排水溝に傾斜がついているので（図７-Ｆ部）の高さより（図７-Ｅ部）の高さをわずかに伸ばし平たい調理具を置いたとき水平を保ち安定させる構造にする。また、これと同じ目的で生ゴミ収納器本体の底の面の角度にシンクの傾斜角度をプラスし垂直をともたせる方法でもよいと思う。 
しかし、今回の考案では生ゴミ収納器に施したホルダー部の使い方によっては
逆の場合も想定できるものであり、生ゴミ収納器本体底に安定板を構成し生ゴミ収納器本体構成のさまざまなデザインに対応させることも可能である。
【００２７】
図８は、覆部面を成形した水切りゴミ袋の概要図に利便性向上を促す切れ込みの位置を示す説明図である。生ゴミ収納器上部に張り出した覆部面固定部（図７-Ｆ）に合わせ込む切れ込みＨ１であり、またはＨ２のように生ゴミの量に応じ、覆部面の外側に設ける場合の説明図である。
【００２８】
図８のＨ３の切れ込みは覆部面を敷いたときの表面の捩れを防ぐものである。
【００２９】
（図８-Ｈ４）の切れ込み線は、狭くなっている覆部面と水切り袋の接合部（図８-Ｂ２）までが生ゴミの収納位置になるための水きりゴミ袋上部寸法に余裕をもたせるためのものであり、（図８-Ｈ４）の切れ込み線との位置関係は（図７-Ｅ）の大きさによって変化する。
また（図８-Ｉ）は水切り袋最上面部を延長し生ゴミを捨てる際の扱いやすさにおいて必要になる部分である。
【００３０】
以上、実施形態の説明としたが、各家庭において常に水切り袋を使用しているもではなくそれぞれ必要に応じて使い分けしている事と思われる。
今回の考案においても同じ事であり生ゴミ収納器本体は従来どうりの水切りゴミ袋の使用も可能であり、水切りゴミ袋無しでも使用できるものである。
【００３１】
また請求項の６においての生ゴミ収納器の上部構造は今までに例のない使用方法であり水道蛇口に近い収納器の上部は食材や料理汁でよごれた調理具を仮措きする絶好の場所であり覆部がなくても生ゴミ収納器に溜まった生ゴミに触れない構造にもできる。また覆部面を成形した水切りゴミ袋を使用しなくても覆部面単体での組み合わせでも利用できるものである。
【実施例２】
【００３２】
実施例１記載の上部開口部を備えた覆部面格納型窓部の応用とした図９Ａ〜Ｅ図１０Ａ〜Ｅは現在主流の生ゴミ収納器（三角コーナー）に後付けを可能としたユニットによる圧縮した覆部面の実施形態の説明図である。
【００３３】
図９、図１０はＣの覆部面格納型ユニットに圧縮した覆部面を上部から収める構成と下部から収める構成かの違いとなっている。
【００３４】
図９-Ｃ及び図１０-Ｃの覆部面格納ユニットは生ゴミ収納器の上部の縁に簡単にはめ込む方法で着脱も簡単に行える構造を使い、覆部面格納ユニットに圧縮した覆部の弾力性を利用しユニット内部に固定してから生ゴミ収納器本体上部の縁にユニットをセットするものであり、その際に水切りゴミ袋上部をユニットと生ゴミ収納器本体縁との間にいれて挟み込み水切りゴミ袋を固定し覆部面の折り返しの支点とするものである。
【００３５】
図１０は生ゴミや調理場での水分等から使用前の覆部面を保護するために覆部面格納ユニットの覆部面挿入部を下に設けた構成に変えたものである。
【００３６】
しかし生ゴミを捨てる作業においてユニットを取り外す手間と扱いに不便な問題点もある。
【００３７】
そこで図１１のように覆部面格納ユニットに上部開口部を設け覆部面と水切りゴミ袋の接合部付近を指で摘まむ程度で取り外しの行える形状とした。
【００３８】
図１１は水切りゴミ袋の固定、折り返しの支点、着脱においてユニットの取り外しが不要のため、生ゴミ収納器本体に一体成形でも可能であり実施例１の上部開口部の張り出した部分を横向きに倒し格納部を下に設けた応用である。
【００３９】
この覆部面格納型ユニットの利点は現行市販されている生ゴミ収納器や現在各家庭にある生ゴミ収納器にそのまま取り付け使用できる事である。
【産業上の利用可能性】
【００４０】
シンク内において従来どうりの使用もできる事で、オプション的な使い分けができる利便性の向上させた製品が選ばれる確立は高いと思われる。
従来技術のものからイメージ、構成を一身できた事に注目したい。
【符号の説明】
【００４１】
Ａ１
生ゴミにかける覆部
Ａ２
覆部面のカバー作業時に覆部を引き出す取っ手兼用固定具
Ａ３
覆部面をジグザグに折り返した圧縮させてある部分のイメージ図
Ａ４
覆部面を縦折の説明線
Ｂ１
水切りゴミ袋本体
Ｂ２
水切りゴミ袋本体と覆部の接合部
Ｃ１
水切りゴミ収納器本体
Ｃ２
覆部カバーの固定器具
Ｄ１
水切り収納器本体に空けた覆部面の取りだし口
Ｄ２
水切り袋の脱着用開口部及び固定部
Ｄ３
Ａ３部の格納部及び汚れ防止ガイド
Ｄ４
Ａ３部の格納部及び固定用ガイド
Ｅ
上部開口部を設けた窓部の位置を生ゴミ収納器本体の枠より上に張り出した場
合のイメージ説明部
Ｆ
覆部面の固定と調理具ホルダー部に併用利用する張り出し部の説明図
Ｇ
材料軽減に伴った凹凸を調理具ホルダーとして利用する窪みの説明図
Ｈ１
覆部面をＦ部に固定止めするための切れ込み線
Ｈ２
覆部面の外側に固定部を設けた場合の切れ込み線イメージ図
Ｈ３
Ｅ部の張り出しをにがし覆部面の捩れを防ぐ切れ込み線
Ｈ４
Ｅ部の寸法等に対応するための切れ込み線
Ｉ
水切りゴミ袋の最上部面の位置を延長する説明図
図９ Ａ 圧縮した覆部面の後付けユニット格納部を装着した総体図斜視図
Ｂ
Ａにおいての上部からの平面図
Ｃ
上部挿入型の覆部面格納ユニットの斜視図
Ｄ
Ａにおいて圧縮した覆部面を成形した水切りゴミ袋をユニット格納部を備えた
生ゴミ収納器にセットアップした斜視図。
Ｅ
Ｄにおいて圧縮した覆部面を広げ覆い被せた斜視図
図１０Ａ 圧縮した覆部面の後付けユニット格納部を装着した総体図斜視図
Ｂ
Ａにおいての上部からの平面図
Ｃ
下部挿入型の覆部面格納ユニットの斜視図
Ｄ
Ａにおいて圧縮した覆部面を成形した水切りゴミ袋をユニット格納部を備えた
生ゴミ収納器にセットアップした斜視図
Ｅ
Ｄにおいて圧縮した覆部面を広げ覆い被せた斜視図
【図１】
0005382600.tif 000002
【図２】
0005382600.tif 000003
【図３】
0005382600.tif 000004
【図４】
0005382600.tif 000005
【図５】
0005382600.tif 000006
【図６】
0005382600.tif 000007
【図７】
0005382600.tif 000008
【図８】
0005382600.tif 000009
【図９】
0005382600.tif 000010
【図１０】
0005382600.tif 000011
【図１１】
0005382600.tif 000012
【図１２】
0005382600.tif 000013
【図１３】
0005382600.tif 000014